(57)【特許請求の範囲】
【請求項１】
複合シートと粘着剤層とを有し、
前記複合シートはポリエチレン繊維の織布または不織布を、ポリエチレン製またはポリプロピレン製のフィルム層とアルミ箔層とで挟んで一体化させて成り、
前記粘着剤層は前記アルミ箔層の表面に設けられていることを、
特徴とする配管表面カバー。
【請求項２】
配管本体と、成形保温材と、請求項１記載の配管表面カバーとを有し、
前記成形保温材は前記配管本体の外面を覆うよう設けられ、
前記配管表面カバーは前記成形保温材の外面を覆うよう前記粘着剤層で前記成形保温材の外面全体に貼り付けられていることを、
特徴とする仮設用配管。
【請求項３】
固定部材と粘着テープとカバーテープとを有し、
前記成形保温材は発泡樹脂製で、筒体を縦方向に半分に分割した形状の２つの構成部材から成り、各構成部材は前記配管本体の外面に密着しており、
前記固定部材は前記成形保温材を前記配管本体に固定しており、
前記配管表面カバーは複数から成り、それぞれ配管本体長さ方向に直列に連続して前記成形保温材の外面全体に貼り付けられて配管本体長さ方向に沿った側縁部と両端の端縁部とを有し、
前記粘着テープは防湿性を有し、前記配管表面カバーの側縁部を覆うようその上に貼り付けられ、
前記カバーテープは前記配管表面カバーと同一の構成のテープから成り、前記配管表面カバーの端縁部を覆うようその上に貼り付けられていることを、
特徴とする請求項２記載の仮設用配管。
【請求項４】
固定部材とカバーテープとを有し、
前記成形保温材は発泡樹脂製で、筒体を縦方向に半分に分割した形状の２つの構成部材から成り、各構成部材は前記配管本体の外面に密着しており、
前記固定部材は前記成形保温材を前記配管本体に固定しており、
前記配管表面カバーは複数から成り、それぞれ配管本体長さ方向に直列に連続して前記成形保温材の外面全体に貼り付けられて配管本体長さ方向に沿った側縁部と両端の端縁部とを有し、
前記カバーテープは前記配管表面カバーと同一の構成のテープから成り、前記配管表面カバーの側縁部および端縁部を覆うようその上に貼り付けられていることを、
特徴とする請求項２記載の仮設用配管。
【請求項５】
配管本体の外面を覆うよう成形保温材を設け、
前記成形保温材の外面を覆うよう前記成形保温材の外面全体に請求項１記載の配管表面カバーを貼り付けることを、
特徴とする仮設用配管の施工方法。
【請求項６】
前記成形保温材は発泡樹脂製で、筒体を縦方向に半分に分割した形状の２つの構成部材から成り、各構成部材を前記配管本体の外面に密着させて前記配管本体の外面を覆い、
前記配管本体の外面を覆った前記成形保温材を固定部材により前記配管本体に固定し、
前記成形保温材の固定後、前記配管表面カバーの複数をそれぞれ配管本体長さ方向に沿った側縁部と両端の端縁部とを有するよう配管本体長さ方向に直列に連続して前記成形保温材の外面全体に貼り付けて前記成形保温材の外面を覆い、
前記成形保温材の外面を覆った前記配管表面カバーの側縁部の上に防湿性の粘着テープを貼り付けて前記側縁部を覆い、
前記成形保温材の外面を覆った前記配管表面カバーの端縁部の上に、前記配管表面カバーと同一の構成のテープから成るカバーテープを貼り付けて前記端縁部を覆うことを、
特徴とする請求項５記載の仮設用配管の施工方法。
【請求項７】
前記成形保温材は発泡樹脂製で、筒体を縦方向に半分に分割した形状の２つの構成部材から成り、各構成部材を前記配管本体の外面に密着させて前記配管本体の外面を覆い、
前記配管本体の外面を覆った前記成形保温材を固定部材により前記配管本体に固定し、
前記成形保温材の固定後、前記配管表面カバーの複数をそれぞれ配管本体長さ方向に沿った側縁部と両端の端縁部とを有するよう配管本体長さ方向に直列に連続して前記成形保温材の外面全体に貼り付けて前記成形保温材の外面を覆い、
前記成形保温材の外面を覆った前記配管表面カバーの側縁部および端縁部の上に、前記配管表面カバーと同一の構成のテープから成るカバーテープを貼り付けて前記側縁部および前記端縁部を覆うことを、
特徴とする請求項５記載の仮設用配管の施工方法。
【発明の詳細な説明】
【技術分野】
【０００１】
本発明は、配管表面カバー、仮設用配管および仮設用配管の施工方法に関する。
【背景技術】
【０００２】
従来、配管などの表面を覆うカバーとして、板紙の表面に、ガラス繊維やプラスチック繊維などの網材を介してアルミ箔を積層、接着して成るものがある（例えば、特許文献１参照）。また、表面の１層目にガラスクロス、表面から２層目にアルミ箔を積層させた断熱カバーもある（例えば、特許文献２参照）。
【０００３】
なお、特許文献１に記載のカバーなどの従来のカバーを使用した場合、以下のようにして配管の断熱構造を施工している。まず、配管の表面をグラスウールなどの断熱材で覆い、それを鉄線で緊縛する。断熱材の外面に、複数の従来のカバーを一部を重ね合わせて貼り付け、各カバーの境界を覆うようビニールテープを貼り付ける。その表面を、金属板や樹脂製の複数の外装材で覆い、各外装材をはぜ折にて接合し、その境界にシールを施して仕上げる。
【０００４】
【特許文献１】特開２０００−３５２４９４号公報
【特許文献２】特開２００４−１３２４５２号公報
【発明の開示】
【発明が解決しようとする課題】
【０００５】
しかしながら、特許文献１および２に記載のカバーは、表面がアルミ箔やガラスクロスから成り、内面の粘着材と表面のアルミ箔またはガラスクロスとの馴染みが悪いため、外気に長時間さらすと日光や風雨により粘着剤層が劣化し、表面層が被粘着物からはがれてボロボロになりやすいという課題があった。このため、カバーの表面に耐候性の外装材を設けなければならず、材料のコストが嵩み、作業時間も長くなるという課題もあった。また、特許文献１に記載のカバーは、表面がアルミ箔から成り、アルミ箔と粘着材との馴染みが悪いため、重ね合わせて貼り付けても剥がれやすいという課題もあった。
【０００６】
本発明は、このような課題に着目してなされたもので、耐久性および耐候性に優れ、コストの低減や作業時間の短縮を図ることができ、重ね合わせて貼り付けたときに剥がれにくい配管表面カバー、仮設用配管および仮設用配管の施工方法を提供することを目的としている。
【課題を解決するための手段】
【０００７】
上記目的を達成するために、本発明に係る配管表面カバーは、複合シートと粘着剤層とを有し、前記複合シートはポリエチレン繊維の織布または不織布を、ポリエチレン製またはポリプロピレン製のフィルム層とアルミ箔層とで挟んで一体化させて成り、前記粘着剤層は前記アルミ箔層の表面に設けられていることを、特徴とする。
【０００８】
本発明に係る配管表面カバーは、アルミと相性の良好な粘着剤層が、工場等において適切な処理のもとアルミ箔層の表面に設けられているため、配管の表面側に粘着剤層で貼り付けると、強固に貼り付くとともに、ポリエチレン製またはポリプロピレン製のフィルム層が外側になり、その下層にアルミ箔層が存在し、粘着剤層に雨水等が侵入しにくくなる。このため、アルミ箔やガラスクロスが外側になる場合と比べて、耐久性および耐候性に優れている。また、特に２年以内程度の仮設では、ポリエチレン製またはポリプロピレン製のフィルム層の表面が劣化して剥がれたり裂けたりしないため、耐候性の外装材を使用する必要がなく、そのコストの低減や作業時間の短縮を図ることができる。
【０００９】
重ね合わせて貼り付けたとき、アルミ箔層の表面に設けられた粘着剤層が、ポリエチレン製またはポリプロピレン製のフィルム層に貼り付くため、アルミ箔層より粘着剤層との接合が強力で剥がれにくい。このため、配管の表面側に貼り付けるとき、縁部同士を重ね合わせるように貼り付けることにより、その縁部での気密性を確保することができ、耐久性および耐候性を高めることができる。
【００１０】
本発明に係る仮設用配管は、配管本体と、成形保温材と、本発明に係る配管表面カバーとを有し、前記成形保温材は前記配管本体の外面を覆うよう設けられ、前記配管表面カバーは前記成形保温材の外面を覆うよう前記粘着剤層で前記成形保温材の外面全体に貼り付けられていることを、特徴とする。
【００１１】
本発明に係る仮設用配管の施工方法は、配管本体の外面を覆うよう成形保温材を設け、前記成形保温材の外面を覆うよう前記成形保温材の外面全体に本発明に係る配管表面カバーを貼り付けることを、特徴とする。
【００１２】
本発明に係る仮設用配管および本発明に係る仮設用配管の施工方法は、本発明に係る配管表面カバーが、成形保温材の外面を覆うよう粘着剤層で成形保温材の外面全体に貼り付けられるため、表層のポリエチレン製またはポリプロピレン製のフィルム層の下層にアルミ箔層が存在し、粘着剤層に雨水等が侵入しにくくなり、アルミ箔やガラスクロスが外側になる場合と比べて、耐久性および耐候性に優れている。また、特に２年以内程度の仮設では、ポリエチレン製またはポリプロピレン製のフィルム層の表面が劣化して剥がれたり裂けたりしないため、耐候性の外装材を使用する必要がなく、そのコストの低減や作業時間の短縮を図ることができる。成形保温材を利用するため、保温効果が得られ、施工が容易である。
【００１３】
本発明に係る仮設用配管は、固定部材と粘着テープとカバーテープとを有し、前記成形保温材は発泡樹脂製で、筒体を縦方向に半分に分割した形状の２つの構成部材から成り、各構成部材は前記配管本体の外面に密着しており、前記固定部材は前記成形保温材を前記配管本体に固定しており、前記配管表面カバーは複数から成り、それぞれ配管本体長さ方向に直列に連続して前記成形保温材の外面全体に貼り付けられて配管本体長さ方向に沿った側縁部と両端の端縁部とを有し、前記粘着テープは防湿性を有し、前記配管表面カバーの側縁部を覆うようその上に貼り付けられ、前記カバーテープは前記配管表面カバーと同一の構成のテープから成り、前記配管表面カバーの端縁部を覆うようその上に貼り付けられていることが好ましい。
【００１４】
本発明に係る仮設用配管の施工方法で、前記成形保温材は発泡樹脂製で、筒体を縦方向に半分に分割した形状の２つの構成部材から成り、各構成部材を前記配管本体の外面に密着させて前記配管本体の外面を覆い、前記配管本体の外面を覆った前記成形保温材を固定部材により前記配管本体に固定し、前記成形保温材の固定後、前記配管表面カバーの複数をそれぞれ配管本体長さ方向に沿った側縁部と両端の端縁部とを有するよう配管本体長さ方向に直列に連続して前記成形保温材の外面全体に貼り付けて前記成形保温材の外面を覆い、前記成形保温材の外面を覆った前記配管表面カバーの側縁部の上に防湿性の粘着テープを貼り付けて前記側縁部を覆い、前記成形保温材の外面を覆った前記配管表面カバーの端縁部の上に、前記配管表面カバーと同一の構成のテープから成るカバーテープを貼り付けて前記端縁部を覆うことが好ましい。
【００１５】
この固定部材と粘着テープとカバーテープとを有する構成では、防湿性の粘着テープが、成形保温材の外面全体に貼り付けられた配管表面カバーの側縁部を覆うよう、その上に貼り付けられるため、配管表面カバーの側縁部から雨水等の水分が入り込むのを防止することができる。このため、配管表面カバーを剥がれにくくすることができ、耐久性および耐候性を高めることができる。
【００１６】
配管表面カバーと同一の構成のテープから成るカバーテープが、配管本体長さ方向に直列に連続して貼り付けられた配管表面カバーの両端の端縁部を覆うよう、その上に貼り付けられるため、カバーテープの粘着剤層が、配管表面カバーのポリエチレン製またはポリプロピレン製のフィルム層に貼り付いて剥がれにくい。このため、配管表面カバーの端縁部での気密性を確保することができ、耐久性および耐候性を高めることができる。
【００１７】
本発明に係る仮設用配管は、固定部材とカバーテープとを有し、前記成形保温材は発泡樹脂製で、筒体を縦方向に半分に分割した形状の２つの構成部材から成り、各構成部材は前記配管本体の外面に密着しており、前記固定部材は前記成形保温材を前記配管本体に固定しており、前記配管表面カバーは複数から成り、それぞれ配管本体長さ方向に直列に連続して前記成形保温材の外面全体に貼り付けられて配管本体長さ方向に沿った側縁部と両端の端縁部とを有し、前記カバーテープは前記配管表面カバーと同一の構成のテープから成り、前記配管表面カバーの側縁部および端縁部を覆うようその上に貼り付けられていてもよい。
【００１８】
本発明に係る仮設用配管の施工方法で、前記成形保温材は発泡樹脂製で、筒体を縦方向に半分に分割した形状の２つの構成部材から成り、各構成部材を前記配管本体の外面に密着させて前記配管本体の外面を覆い、前記配管本体の外面を覆った前記成形保温材を固定部材により前記配管本体に固定し、前記成形保温材の固定後、前記配管表面カバーの複数をそれぞれ配管本体長さ方向に沿った側縁部と両端の端縁部とを有するよう配管本体長さ方向に直列に連続して前記成形保温材の外面全体に貼り付けて前記成形保温材の外面を覆い、前記成形保温材の外面を覆った前記配管表面カバーの側縁部および端縁部の上に、前記配管表面カバーと同一の構成のテープから成るカバーテープを貼り付けて前記側縁部および前記端縁部を覆ってもよい。
【００１９】
この固定部材とカバーテープとを有する構成では、配管表面カバーと同一の構成のテープから成るカバーテープが、配管本体長さ方向に直列に連続して貼り付けられた配管表面カバーの側縁部および端縁部を覆うよう、その上に貼り付けられるため、カバーテープの粘着剤層が、配管表面カバーのポリエチレン製またはポリプロピレン製のフィルム層に貼り付いて剥がれにくい。このため、配管表面カバーの端縁部での気密性を確保することができ、耐久性および耐候性を高めることができる。
【発明の効果】
【００２０】
本発明によれば、耐久性および耐候性に優れ、コストの低減や作業時間の短縮を図ることができ、重ね合わせて貼り付けたときに剥がれにくい配管表面カバー、仮設用配管および仮設用配管の施工方法を提供することができる。
【発明を実施するための最良の形態】
【００２１】
以下、図面に基づき、本発明の実施の形態について説明する。
図１乃至図３は、本発明の実施の形態の配管表面カバー、仮設用配管および仮設用配管の施工方法を示している。
【００２２】
本発明の実施の形態の仮設用配管は、本発明の実施の形態の仮設用配管の施工方法により施工される。
図１乃至図３に示すように、仮設用配管は、配管本体１０と成型保温材１１と固定部材１２と配管表面カバー１３と粘着テープ１４とカバーテープ１５とを有している。
【００２３】
図２に示すように、成型保温材１１は、発泡スチロール樹脂製で、筒体を縦方向に半分に分割した形状の２つの構成部材２１ａ，２１ｂから成っている。成型保温材１１は、内面１１ａが配管本体１０の外面１０ａに密着して、配管本体１０の外面１０ａを覆う形状に成形されている。成型保温材１１は、各構成部材２１ａ，２１ｂを配管本体１０の側方から装着可能になっている。なお、成型保温材１１は、市販の成型品から成っていてもよい。
【００２４】
図２（ｂ）に示すように、固定部材１２は、亜鉛メッキ鉄線から成っている。固定部材１２は、配管本体１０の外面１０ａを覆った成型保温材１１の外面１１ｂに、円周方向に沿って縛り付け可能な長さを有している。なお、固定部材１２は、亜鉛メッキ鉄線に限らず、他の金属材質の線材や粘着性のテープなどから成っていてもよい。
【００２５】
図１に示すように、配管表面カバー１３は、矩形状で、成型保温材１１の外径より長い幅を有している。配管表面カバー１３は、複合シート２２と粘着剤層２３とを有している。複合シート２２は、フィルム層２４とポリエチレン織布２５とアルミ箔層２６とを積層して形成されている。複合シート２２は、ポリエチレン織布２５をポリエチレン製のフィルム層２４とアルミ箔層２６とで挟んで一体化させて成っている。
【００２６】
粘着剤層２３は、複合シート２２のアルミ箔層２６の表面２６ａに、層状に設けられている。粘着剤層２３は、複合シート２２をアルミ箔層２６の側で貼付可能になっている。粘着剤層２３は、使用しないときに貼り付かないよう、表面２３ａに剥離紙２７が貼り付けられている。
粘着テープ１４は、ポリエチレン製で、防湿性を有している。
カバーテープ１５は、配管表面カバー１３と同一の構成のテープから成っている。
【００２７】
本発明に係る仮設用配管の施工方法は、まず、図２（ａ）に示すように、成型保温材１１の各構成部材２１ａ，２１ｂを、配管本体１０の側方から装着する。このとき、成形保温材１１の内面１１ａを配管本体１０の外面１０ａに密着させて、配管本体１０の外面１０ａを覆う。このように、成形保温材１１を利用するため、保温効果が得られ、施工が容易である。次に、図２（ｂ）に示すように、配管本体１０の外面１０ａを覆った成型保温材１１の外面１１ｂに固定部材１２を縛り付け、成形保温材１１を配管本体１０に固定する。
【００２８】
固定部材１２で成形保温材１１を固定後、図３（ａ）に示すように、成型保温材１１の外面１１ｂ全体に複数の配管表面カバー１３を粘着剤層２３で貼り付けて、成型保温材１１の外面１１ｂおよび固定部材１２を覆う。このとき、配管本体１０の長さ方向に沿った側縁部１３ａと両端の端縁部１３ｂとを有するよう、各配管表面カバー１３を貼り付ける。すなわち、配管表面カバー１３の長さ方向を配管本体１０の長さ方向に沿わせ、成型保温材１１の外面１１ｂに巻き付けるようにして貼り付ける。配管表面カバー１３の幅が成型保温材１１の外径より長いため、配管表面カバー１３の長さ方向に沿った１対の側縁を、互いに重ね合わせて貼り付けることができる。これにより、配管表面カバー１３の粘着剤層２３が、ポリエチレン製のフィルム層２４に貼り付いて、剥がれにくい。また、複数の配管表面カバー１３を、配管本体１０の長さ方向に直列に連続するよう貼り付ける。
【００２９】
図３（ａ）に示すように、成形保温材１１の外面１１ｂを覆った配管表面カバー１３の側縁部１３ａの上の数ヶ所に、粘着テープ１４を貼り付けて仮止めした後、図３（ｂ）に示すように、側縁部１３ａおよび仮止めの上に粘着テープ１４を貼り付けて側縁部１３ａを覆う。これにより、防湿性の粘着テープ１４で、配管表面カバー１３の側縁部１３ａから雨水等の水分が入り込むのを防止することができる。このため、配管表面カバー１３を剥がれにくくすることができ、耐久性および耐候性を高めることができる。
【００３０】
次に、図３（ｂ）に示すように、成形保温材１１の外面１１ｂを覆った配管表面カバー１３の端縁部１３ｂの上に、カバーテープ１５を貼り付けて端縁部１３ｂを覆う。このとき、配管表面カバー１３と同一の構成のテープから成るカバーテープ１５の粘着剤層が、配管表面カバー１３のポリエチレン製のフィルム層２４に貼り付いて剥がれにくい。このため、配管表面カバー１３の端縁部１３ｂでの気密性を確保することができ、耐久性および耐候性を高めることができる。
【００３１】
さらに、図３（ｂ）に示すように、補強のため、各配管表面カバー１３の長さ方向の中央付近に、円周に沿って粘着テープ１４を貼り付ける。
なお、配管の曲がり部は、あらかじめ工場で成型保温材と同様な構造のエルボ保温材の表面に、配管表面カバー１３を形状に合わせてカッティングして貼り付けることで、断熱構造を施したものを使用している。
【００３２】
本発明の実施の形態に係る仮設用配管および仮設用配管の施工方法では、配管表面カバー１３が成型保温材１１の外面１１ｂを覆うよう、成型保温材１１の外面１１ｂ全体に貼り付けられるため、ポリエチレン製のフィルム層２４が外側になり、その下層にアルミ箔層２６が存在し、粘着剤層２３に雨水等が侵入しにくくなる。このため、アルミ箔やガラスクロスが外側になる場合と比べて、耐久性および耐候性に優れている。また、配管本体１０の内部を通る冷水や温水、蒸気などによる温度変化や配管本体１０の伸縮などに対しても、配管表面カバー１３が剥がれにくく、耐久性に優れている。
【００３３】
また、例えば、切り替え工事で、上屋のみ施した屋外に冷温水用の配管本体１０を長期仮設する場合など、２年以内程度の仮設では、ポリエチレン製のフィルム層２４の表面２４ａが劣化して剥がれたり裂けたりしない。このため、従来必要であった耐候性の外装材を使用する必要がない。このため、従来特に時間のかかっていた外装材の仕上げが不要となり、作業時間の短縮を図ることができる。また、外装材が不要になり材料の種類が減少したため、それら材料のコストや手配の手間を低減することができ、作業時の材料の仮置きスペースを小さくすることができる。
【００３４】
なお、従来の外装材を使用する構造は、本設の構造であり、２年以内程度の仮設では過剰であるという問題があった。しかし、本発明の実施の形態に係る仮設用配管および仮設用配管の施工方法によれば、外装材が不要となるため、この問題も解決することができる。
【図面の簡単な説明】
【００３５】
【図１】本発明の実施の形態の配管表面カバーを示す（ａ）平面図、（ｂ）断面図である。
【図２】本発明の実施の形態の仮設用配管および仮設用配管の施工方法の（ａ）配管への成型保温材の装着状態を示す斜視図、（ｂ）成型保温材および固定部材の取付状態を示す斜視図である。
【図３】本発明の実施の形態の仮設用配管および仮設用配管の施工方法の（ａ）配管表面カバーの貼付状態を示す斜視図、（ｂ）完成状態を示す斜視図である。
【符号の説明】
【００３６】
１０  配管本体
１１  成型保温材
１２  固定部材
１３  配管表面カバー
１４  粘着テープ
１５  カバーテープ
２１ａ，２１ｂ  構成部材
２２  複合シート
２３  粘着剤層
２４  フィルム層
２５  ポリエチレン織布
２６  アルミ箔層
２７  剥離紙
【図１】
0004598667.tif 000002
【図２】
0004598667.tif 000003
【図３】
0004598667.tif 000004